【事件の表示】
　上記当事者間の登録第４１２０７４９号商標の商標登録無効審判事件について、次のとおり審決する。
【結　論】
　登録第４１２０７４９号の登録を無効とする。
　審判費用は被請求人の負担とする。
【理　由】
１　本件商標
　本件登録第４１２０７４９号商標（以下「本件商標」という。）は、「ＨＡＰＰＩＥＴ」の欧文字と「ハピエット」の片仮名文字を上下二段に横書きしてなり、平成８年５月３１日登録出願、第１６類「印刷物」を指定商品として、平成１０年３月６日登録されたものである。
　
２　引用商標
　請求人が引用する登録第２６３０４９０号商標（以下「引用商標」という。）は、「ハピネット」の片仮名文字と「ＨＡＰＰＩＮＥＴ」の欧文字を上下二段に横書きしてなり、平成３年６月２６日登録出願、第２６類「印刷物、その他本類に属する商品」を指定商品として、平成６年２月２８日登録されたものである。
　
３　請求人の主張
　請求人は、結論同旨の審決を求め、その理由及び被請求人の答弁に対する弁駁を概要以下のように主張し、証拠方法として甲第１号証及び甲第２号証（枝番号を含む。）を提出した。
（１）請求の理由
　本件商標は、商標法第４条第１項第１１号に該当し、同法第４６条第１項第１号により、無効にすべきものである。
　本件商標は、請求人所有に係る先願の引用商標と類似しており、その指定商品も引用商標の指定商品に含まれるものである。
（ア）商標の類似について
　本件商標は、その構成文字に相応して「ハピエット」の称呼を生ずる。　　一方、引用商標は、その構成文字に相応して「ハピネット」の称呼を生ずる。
　そこで、本件商標より生ずる「ハピエット」の称呼と引用商標より生ずる「ハピネット」の称呼とを比較するに、両称呼はともに５音よりなり、称呼の識別上重要な要素を占める第１音を含む「ハ」「ピ」「ッ」の音及び語尾の「ト」の音を同じくし、第３音において「エ」と「ネ」の音に差異を有するのみである。相違する「エ」と「ネ」の音は、いずれも促音「ッ」を伴っているため、母音「ｅ」が強調されるものである。また、「ネ」の音の子音「ｎ」は鼻音であり、比較的弱い音であることから、母音「ｅ」に吸収されて、「エ」の音に近似した音として聴取されやすいものである。さらに、この差異音は、破裂音で強く発音される「ピ」の音のすぐ後に位置し、しかも称呼の識別上印象に残りにくい中間音であることから、この差異が全体に及ぼす影響はごく僅かなものであるというべきである。
　そうとすると、両称呼は、それぞれを一連に称呼するときは、全体の語調、語感が極めて近似し、互いに相紛れるおそれがあるものといわなければならない。
　したがって、本件商標と引用商標とは、称呼上類似の商標である。
（イ）指定商品について
　本件商標の指定商品は、第１６類「印刷物」であり、引用商標の指定商品は旧第２６類「印刷物、その他本類に属する商品」であることから、前者は後者に含まれるものである。
（２）被請求人の答弁に対する弁駁
　被請求人は、昭和６０年審判第６６４２号審決（乙第１号証）を引用しているが、この事案は称呼における識別上重要な要素を占める語頭音において、「ネ」と「エ」に差異を有するものであり、中間音の差異を問題とする本件とは事案を異にするものである。
　また、被請求人は「ハピネット」の語が２語からなる造語であると主張するが、引用商標は「ハピネット」の片仮名文字と「ＨＡＰＰＩＮＥＴ」の欧文字を一連に上下二段に左横書きしてなるものであり、「ハピ」と「ネット」に分離して称呼される理由は全くない。
　
４　被請求人の答弁
　被請求人は、本件審判の請求は成り立たない、審判費用は請求人の負担とする、との審決を求めると答弁し、その理由を概要以下のように主張し、証拠方法として乙第１号証ないし乙第４号証を提出した。
　本件商標は引用商標と類似する商標ではなく、商標法第４条第１項第１１号に該当しないので、審判請求人の主張は成り立たない。以下、詳論する。（ア）称呼について
　本件商標と引用商標の差異音である「ネ」と「エ」についてであるが、「『ネ』の音は、舌尖を前硬口蓋に接触して発する鼻子音（ｎ）と母音（ｅ）との結合した柔らかくて美しい音であるのに対し、『エ』の音は声を口腔内に響かせて出すことによって発生する『ア』と『イ』の中間の母音『ｅ』であり、『ア』の音に近似したはっきりした澄んだ音であるから、音質を異にするものである。」とする審決例（昭和６０年審判第６６４２号、乙第１号証）が示すように、この差異は、それぞれ一連に称呼したとき称呼全体に及ぼす影響が極めて大きく、全体の語調、語感が相当異なるものになることは明確である。また「相違する『エ』と『ネ』の音は、いずれも促音『ッ』を伴っているため、母音『ｅ』が強調され」という請求人の主張はかえって逆であり、促音を伴っているために母音が弱くなると考えるべきである。更に、中間に位置する音が識別上印象に残りにくく聴取されにくいというのは比較的長い音構成であるときに該当するとされるのが通説であり、極めて短い５音からなる本件商標及び引用商標は長い音構成であるとは言い難い。したがって請求人の「破裂音で強く発音される『ピ』の音のすぐ後に位置し、しかも称呼の識別上印象に残りにくいとされる中間音であることから、この差異が全体に及ぼす影響はごく僅かなものであるというべきである」という主張にも根拠がない。
　第２に、本件商標、引用商標ともに、「幸せ」等を意味する英単語の「ｈａｐｐｙ」から派生した造語であると考えるのが自然である。我が国における英語普及の度合いを考慮すれば、この「ｈａｐｐｙ」という語は既に日本語化されており、逆に「ハッピー」という日本語化された語をローマ字表記すれば、「ｈａｐｐｉ」と表記され、「ハッピー」という称呼を生ずるのみならず「ハピ」「ハッピ」とも称呼され得る。
　してみれば、本件商標は、広く一般に知れ渡り既に日本語化している「ｈａｐｐｙ」「ハッピー」をローマ字表記した「ｈａｐｐｉ」「ハピ」という語に「ｅｔ」「エット」という特定の観念を持たない語を付加した造語であり、構成上一体的であり、また「ピ」を発音した後「エ」が比較的弱めに発音されるため淀みなく一気に称呼するのが極めて自然であるといえる。または少なくとも前半の「ハピ」の部分にアクセントがあり、後半の「エット」の部分にはアクセントがなく従属的であると考えられる。
　これに対し、引用商標は、前半の「ハピ」「Ｈａｐｐｉ」が英単語の「ｈａｐｐｙ」を、後半の「ネット」「ｎｅｔ」は「網」「正味」「コンピュータネットワーク」「通信網」等を意味する英単語の「ｎｅｔ」をそれぞれ表している。
　また「ｎｅｔ」という語は、「ｎｅ」（ネ）の部分にアクセントがあるために、この語の前に「ｈａｐｐｙ」「ハッピー」をローマ字表記した「ｈａｐｐｉ」及びその称呼である「ハピ」という語を付加しても、「ｎｅｔ」「ネット」部分が強調され、一般取引者・需要者に印象づけるとともに、「ハピ」と「ネット」は意識的に区切って称呼すると考えるのが極めて自然である。または少なくとも「ハピ」と「ネット」の両方に等しくアクセントがあり、両者が均等な関係に立つと考えられる。即ち、「ハピエット」は１語の造語であり、発音は「ハピエット」なのに対し、「ハピネット」では２語からなる造語であり、発音は「ハピネット」となる。これは「インターネット」などと同様の現象である。
　このことは、実際に請求人が、自社のカタログ・パンフレット類・インターネットホームページなどで、自社名を表す英語表記において上下２段書きで「Ｈａｐｐｉ」と「ｎｅｔ」を明確に区別するべく分離して表記していることからも、これらを自ら認めているものと思われる（乙第３号証及び同第４号証）。
　してみれば、引用商標の「ハピネット」「ＨＡＰＰＩＮＥＴ」の文字には、「ハピ」「ＨＡＰＰＩ」と「ネット」「ＮＥＴ」とに分離して称呼される契機が包含されているとともに、取引上の経験則によればその強調される２つの結合概念により商品を識別することが取引者には通常であるから、本件商標と引用商標は明らかに称呼が区別される。
　以上のことから、本件商標のように一気に淀みなく称呼できるものと引用商標のような区切って称呼しなければならないものとは全体の語調・語感が相当相違し、また両商標の相違する１音において全体の音感が異なるとともに、音質・音調上著しい差異があると認められる。
　したがって、本件商標と引用商標は、称呼上明らかに非類似と認められ、本件商標の登録を無効にすべきとする請求人の主張は成り立たない。
　
５　当審の判断
　本件商標は、その構成文字からみて、一連の造語「ＨＡＰＰＩＥＴ」とこれの読み方を示す「ハピエット」の文字を併記したものと認識され、「ハピエット」と称呼されるものと認められる。
　一方、引用商標は、その構成文字からすると、一連の造語「ＨＡＰＰＩＮＥＴ」とこれの読み方を示す「ハピネット」の文字を併記したものと認識され、「ハピネット」と称呼されるものと認められる。
　ところで、被請求人は、「ハピエット」は１語の造語であり、「ハピネット」は２語からなる造語であって、引用商標の「ハピネット」「ＨＡＰＰＩＮＥＴ」の文字には、「ハピ」「ＨＡＰＰＩ」と「ネット」「ＮＥＴ」とに分離して称呼される契機が包含されている旨主張する。
　しかし、「ハピ」という知られた語はないから、「ネット」が「網」、「放送網」などを意味する語であるとしても、一連一体に表されている引用商標中の「ハピネット」の文字が、「ハピ」と「ネット」の２語よりなるものと認識されることはなく、前記認定のとおり、一連の造語「ＨＡＰＰＩＮＥＴ」の読み方を示した文字として認識されるものであって、引用商標は一連に「ハピネット」と称呼されると認められるから、前記の被請求人の主張は採用できない。
　そこで、本件商標の「ハピエット」の称呼と引用商標の「ハピネット」の称呼を比較すると、称呼の中間に位置する第３音が「エ」と「ネ」で相違しているが、聴取したときに印象が強い語頭音を含めて他の音はすべて共通しており、相違する第３音も母音は共通している。また、共通している第２音「ピ」は、破裂音で明瞭に聴取される音質を持っている音であり、相違している第３音「エ」と「ネ」は、促音の前に位置しており共にアクセントがある音と認められる。
　そうすると、「ハピエット」と「ハピネット」の称呼は、第３音の相違を考慮しても、その語調・語感が似たものとなるため、互いに紛れて聴取されるおそれがあるとするのが相当である。
　また、本件商標と引用商標の外観を比較すると、欧文字部分の綴りの相違は第５文字の「Ｉ」の次に「Ｎ」の文字があるか否かのみであり、片仮名文字部分の相違は第３文字の「エ」と「ネ」であって、その構成文字は相違より共通するところがむしろ多いから、本件商標と引用商標は、その外観が明らかに異なるものとはいえない。
　そして、本件商標と引用商標は、前記認定のとおり、共に一連の造語を表す欧文字とその読み方を示した片仮名文字よりなるから、認識させる観念が明確に異なるものともいえない。
　このようにみてくると、本件商標は、引用商標と称呼において紛らわしい類似する商標といわざるをえない。
　また、本件商標の指定商品は、引用商標の指定商品中に含まれている商品と認められる。
　したがって、本件商標は、商標法第４条第１項第第１１号に違反して登録されたものであるから、同法第４６条第１項の規定により、その登録を無効とすべきである。
　よって、結論のとおり審決する。